(57)【要約】【課題】文字多重放送を受信し、得られる文字データにおける放送局名を示すフィールドの内容を、放送局を示す放送局情報として使用する場合に、放送局名ではない内容のものを放送局情報として使用するのを防止する。【解決手段】放送受信装置において、文字多重放送を受信し、復調する受信手段と、前記受信手段により得られる文字データのうち、放送局名の伝送に使用されるフィールドの内容について、所定時間内における変化の有無を判定する判定手段（ステップ２３）とを設け、前記判定手段により変化無しと判定された場合に、前記フィールドの内容を、受信中の放送局を示す放送局情報として用いる（ステップ２４）ようにする。【選択図】図２
2008172299.tif 000002
【特許請求の範囲】
【請求項１】
文字多重放送を受信し、復調する受信手段と、
前記受信手段により得られる文字データのうち、放送局名の伝送に使用されるフィールドの内容について、所定時間内における変化の有無を判定する判定手段とを備え、
前記判定手段により変化無しと判定された場合に、前記フィールドの内容を、受信中の放送局を示す放送局情報として用いることを特徴とする放送受信装置。
【請求項２】
前記判定手段により変化有りと判定された場合には、前記フィールドの内容に代えて、前記受信手段における受信周波数を、前記放送局情報として用いることを特徴とする請求項１に記載の放送受信装置。
【請求項３】
前記受信手段により得られる音声信号又は映像信号を、所定形式のデジタルデータにエンコードし、前記放送局情報を利用して設定した名称のファイルとして、又は前記放送局情報を利用して設定した名称のフォルダ内のファイルとして記録する記録手段を有することを特徴とする請求項１又は２に記載の放送受信装置。
【請求項４】
文字多重放送を受信し、復調する受信工程と、
前記受信工程により得られる文字データのうち、放送局名の伝送に使用されるフィールドの内容について、所定時間内における変化の有無を判定する判定工程とを備え、
前記判定工程により変化無しと判定された場合に、前記フィールドの内容を、受信中の放送局を示す放送局情報として用いることを特徴とする放送受信方法。
【発明の詳細な説明】
【技術分野】
【０００１】
本発明は、文字多重放送を受信する放送受信装置及び放送受信方法に関する。
【背景技術】
【０００２】
従来、文字多重放送の１つであるＲＤＳ（ラジオ・データ・システム）放送を受信し、そのＰＳデータに基づき、受信中の放送局の名称を表示するようにした受信機が知られている（たとえば特許文献１参照）。また、文字多重放送を受信し、得られる音声信号をミニ・ディスクに記録するとき、放送局名等の文字情報を付加情報として併せて記録するようにした記録装置も知られている（たとえば特許文献２参照）。
【０００３】
【特許文献１】特開２００６−２２９７４８号公報
【特許文献２】特表２００１−５２２１２１号公報
【発明の開示】
【発明が解決しようとする課題】
【０００４】
しかしながら、放送局によっては、送出するＰＳデータの内容を一定時間毎に切り替えながら、放送局名に加え、放送局のメッセージ等を送出する場合もある。この場合、上述の放送局名等の文字情報を付加情報として記録する従来技術によれば、付加情報として放送局名を記録するつもりであっても、放送局名ではない付加情報が付加されてしまうおそれがある。
【０００５】
本発明の目的は、このような従来技術の問題点に鑑み、文字多重放送を受信し、得られる文字データにおける放送局名を示すフィールドの内容を、放送局を示す放送局情報として使用する場合に、放送局名ではない内容のものを放送局情報として使用するのを防止することにある。
【課題を解決するための手段】
【０００６】
この目的を達成するため、第１の発明に係る放送受信装置は、文字多重放送を受信し、復調する受信手段と、前記受信手段により得られる文字データのうち、放送局名の伝送に使用されるフィールドの内容について、所定時間内における変化の有無を判定する判定手段とを備え、前記判定手段により変化無しと判定された場合に、前記フィールドの内容を、受信中の放送局を示す放送局情報として使用することを特徴とする。
【０００７】
ここで、放送受信装置としては、ＲＤＳ対応のものが該当する。文字多重放送としてはＲＤＳやＲＢＤＳ（ラジオ・ブロードキャスト・データ・システム）が該当する。放送局名の伝送に使用されるフィールドとしては、たとえば、ＲＤＳにおけるＰＳフィールドが該当する。放送局情報は、たとえば、受信手段により得られる音声信号をファイルとして記録する際のファイル名の設定に利用したり、該音声信号をＭＤ等に記録する際の付加情報として利用したりすることができる。
【０００８】
この構成において、受信手段は、文字多重放送を受信すると、受信波を復調し、文字データ及び音声信号や映像信号を出力する。この文字データのうち、放送局名の伝送に使用されるフィールドの内容は、常に放送局名であるとは限らず、数秒毎に変化し、他の情報の伝送にも使用される場合がある。そこで本発明では、前記フィールドの内容について、所定時間内における変化の有無を判定し、変化無しと判定した場合に、前記フィールドの内容を、受信中の放送局を示す放送局情報として用いるようにしている。
【０００９】
第２の発明に係る放送受信装置は、第１発明において、前記判定手段により変化有りと判定された場合には、前記フィールドの内容に代えて、前記受信手段における受信周波数を、前記放送局情報として用いることを特徴とする。
【００１０】
第３の発明に係る放送受信装置は、第１又は第２発明において、前記受信手段により得られる音声信号又は映像信号を、所定形式のデジタルデータにエンコードし、前記放送局情報を利用して設定した名称のファイルとして、又は前記放送局情報を利用して設定した名称のフォルダ内のファイルとして記録する記録手段を有することを特徴とする。
【００１１】
第４の発明に係る放送受信方法は、文字多重放送を受信し、復調する受信工程と、前記受信工程により得られる文字データのうち、放送局名の伝送に使用されるフィールドの内容について、所定時間内における変化の有無を判定する判定工程とを備え、前記判定工程により変化無しと判定された場合に、前記フィールドの内容を、受信中の放送局を示す放送局情報として用いることを特徴とする。
【発明の効果】
【００１２】
本発明によれば、放送局名の伝送に使用されるフィールドの内容について、所定時間内における変化が無いと判定された場合に、前記フィールドの内容を、受信中の放送局を示す放送局情報として用いるようにしたため、前記フィールドの内容を放送局情報として使用するに際し、放送局名ではない内容のものを放送局情報として使用するのを防止することができる。
【００１３】
また、放送局名の伝送に使用されるフィールドの内容について、所定時間内における変化が有ると判定された場合には、前記フィールドの内容に代えて、受信周波数を前記放送局情報として用いるようにしたため、所定時間内における変化が有ると判定されたことにより前記フィールドの内容を前記放送局情報として使用することができない場合でも、代替としての前記放送局情報を提供することができる。
【００１４】
また、受信手段により得られる音声信号又は映像信号を、所定形式のデジタルデータにエンコードし、記録する際に、前記放送局情報を用いた名称のファイルとして、又は前記放送局情報を用いた名称のフォルダ内のファイルとして記録するようにしたため、音声信号又は映像信号を放送局情報に対応付けて記録することができる。
【発明を実施するための最良の形態】
【００１５】
図１は、本発明の一実施形態に係る放送受信装置の構成を示すブロック図である。同図に示すように、この放送受信装置は、ＲＤＳ放送を受信し、復調して音声信号及びＲＤＳデータを出力するチューナ部１１、チューナ部１１からの音声信号又は外部から入力される音声信号のいずれかを選択するためのセレクタ１２、セレクタ１２で選択された音声信号を所定のファイル形式にエンコードするエンコード部１３、エンコード部１３によりエンコードされた音声信号を音声ファイルとして記憶するメモリ部１４、装置各部を制御するＣＰＵ１５、並びにＣＰＵ１５及びユーザ間のインタフェースとして機能するキー入力部１６及び表示部１７を備える。所定のファイル形式としては、たとえば、ＭＰ３やＷＭＡが該当する。
【００１６】
外部からセレクタ１２へ入力される音声信号としては、ハードディスク装置１８、外部メモリ１９、ＣＤプレーヤ２０、ＭＤプレーヤ２１等から供給されるものが該当する。キー入力部１６はユーザによるキー操作の内容に応じた指令をＣＰＵ１５に与える。表示部１７はＣＰＵ１５からの指示に基づき、ユーザへのメッセージ等の表示を行う。また、受信したＲＤＳデータ中の各種フィールドの内容、たとえば、ＰＳフィールドのデータとして送られる放送局名や、ＲＴフィールドのデータとして送られるテキスト情報の表示を行う。ただし、ＰＳフィールドの内容は数秒毎に変化し、その内容として、放送局名以外の情報が送られてくる場合もある。
【００１７】
ＣＰＵ１５は、メモリ部１４において、エンコード部１３によりエンコードされた音声信号を記録するためのファイル及びそのファイルが格納されるフォルダを生成する。ファイル及びフォルダの名称はＰＳフィールドの内容又は受信周波数を利用して設定される。すなわち、チューナ部１１からのＲＤＳデータにおけるＰＳフィールドの内容が所定時間変化しない場合には、その内容は放送局名である確立が極めて高いので、この内容を利用してフォルダ名及びファイル名を定める。一方、ＰＳフィールドの内容が所定時間内に変化した場合には、その内容は放送局名であるとは限らないので、受信中の周波数を利用してフォルダ名及びファイル名を定める。
【００１８】
図２はこのＰＳフィールドの内容又は受信周波数のうちいずれをファイル名及びフォルダ名の設定に利用するかを定める処理を示すフローチャートである。処理を開始すると、ＣＰＵ１５は、まずステップ２１において、チューナ部１１からのデータ中に、ＲＤＳデータのＰＳフィールドが存在するか否かを判定する。存在すると判定した場合には、ステップ２２において一定時間待機し、ＰＳフィールドの内容における変化の有無を調べる。次に、ステップ２３において、ＰＳフィールドの内容に変化があったかどうか判定する。
【００１９】
ＰＳフィールドの内容に変化が無かったと判定した場合には、その内容は放送局名を表している確率が極めて高いので、ステップ２４において、その放送局名を、受信中の放送局を表す放送局情報として、ファイル名及びフォルダ名の作成に利用することを決定し、図２の処理を終了する。一方、ＰＳフィールドの内容において変化があったと判定した場合には、ステップ２５において、受信中の周波数を放送局情報とし、これをファイル名及びフォルダ名の作成に利用することを決定し、図２の処理を終了する。ステップ２１においてＰＳデータが存在しないと判定した場合も、同様に、受信中の周波数を放送局情報とし、これをファイル名及びフォルダ名の作成に利用する。
【００２０】
この処理によって、ファイル名及びフォルダ名の作成に利用することが決定された放送局名又は周波数を表す文字は、所定のファイル形式にエンコードされ、メモリ部１４において記録される音声データのファイル又はこれを格納するフォルダの名称の一部として使用されることになる。
【００２１】
図３はメモリ部１４において記録される音声データを格納するファイル及びこれを格納するフォルダを例示する。図中の３１〜３３は、それぞれフォルダ名を構成する放送局情報、日付情報、及び追番情報である。３４〜３６はそれぞれファイル名を構成する放送局情報、日付情報、及び追番情報である。放送局情報３１及び３４は上述図２の処理により決定され、ファイル名及びフォルダ名の作成に利用されたものである。各フォルダ毎に複数のファイルが格納されている。
【００２２】
ＣＰＵ１５はキー入力部１６における録音ボタンが押下されると、受信中の放送について、メモリ部１４における記録を開始する。その際、図２の処理により決定した放送局情報、現在の日付、及び追番の初期値に基づき、放送局情報３１、日付情報３２、及び追番情報３３によってフォルダ名が構成されるフォルダ「Ｘ−ＸＸＸＸ０６１２０４−０１」を生成する。また、同様に、放送局情報３４、日付情報３５、及び追番情報３６によってファイル名が構成され、該フォルダ内に格納されたファイル「Ｘ−ＸＸＸＸ０６１２０４−０１」を生成する。このファイルに対し、記録を開始する。所定の時間、たとえば５分や１０分が経過すると、追番情報３６のみを変更した新たなファイル名のファイル「Ｘ−ＸＸＸＸ０６１２０４−０２」を生成し、このファイルに対し、記録を続行する。
【００２３】
このようにして、録音ボタンの押下時に作成したフォルダ「Ｘ−ＸＸＸＸ０６１２０４−０１」の下に、所定時間毎に分割されたファイルとして、放送内容が記録される。録音が停止され、その後、再度録音ボタンが押下された場合には、同一の日であれば、追番情報３３のみが変更された新たなフォルダ名のフォルダ「Ｘ−ＸＸＸＸ０６１２０４−０２」の下に、同様にして分割された複数ファイルとして放送内容が記録されることになる。
【００２４】
なお、ここでは、フォルダ名及びファイル名の双方に放送局情報「Ｘ−ＸＸＸＸ」を利用するようにしているが、この代わりに、いずれか一方にのみ放送局情報を用いるようにしてもよい。その場合、他方の名称としては、日付情報と追番情報のみで構成される名称や、追番情報のみの名称を採用することができる。
【００２５】
本実施形態によれば、ＰＳフィールドの内容が一定時間変化しなかった場合にのみその内容を放送局情報として、ファイル名又はフォルダ名の作成に利用するようにしたため、ＰＳフィールドの内容をファイル名又はフォルダ名として利用する場合に、放送局名以外の文字を利用してしまうのを防止することができる。また、ＰＳフィールドの内容が一定時間の間に変化した場合には受信中の周波数をファイル名又はフォルダ名の作成に利用するようにしたため、ＰＳフィールドの内容をファイル名又はフォルダ名として利用することができない場合でも、代替の放送局情報を提供することができる。
【００２６】
なお、本発明は、上述実施形態に限定されることなく、適宜変形して実施することができる。たとえば、上述においては、ＲＤＳ放送を受信する場合について説明したが、ＲＢＤＳを受信する場合にも本発明を適用することができる。また、他の文字多重放送の場合でも、同様に、放送局名を表す文字データのフィールドが、所定時間毎に変化して放送局名以外の情報に使用される可能性がある場合には、同様にして、本発明を適用することができる。
【図面の簡単な説明】
【００２７】
【図１】本発明の一実施形態に係る放送受信装置の構成を示すブロック図である。
【図２】図１の装置におけるＰＳフィールドの内容又は受信周波数のうちいずれをファイル名及びフォルダ名の設定に利用するかを定める処理を示すフローチャートである。
【図３】図１の装置におけるメモリ部において記録される音声データを格納するファイル及びこれを格納するフォルダを例示する図である。
【符号の説明】
【００２８】
１１：チューナ部、１２：セレクタ、１３：エンコード部、１４：メモリ部、１５：ＣＰＵ、１６：キー入力部、１７：表示部、１８：ハードディスク、１９：外部メモリ、２０：ＣＤプレーヤ、２１：ＭＤプレーヤ、３１：放送局情報、３２：日付情報、３３：追番情報、３４：放送局情報、３５：日付情報、３６：追番情報。
【図１】
2008172299.tif 000003
【図２】
2008172299.tif 000004
【図３】
2008172299.tif 000005